(57)【要約】【課題】映像フィルムをカセット式に他のものと交換することで、投影玩具としての面白味を倍増し、また単に所定のシルエットを投影できるようにもする。【解決手段】光源２を収容する光源室３と、光源２点灯用の電源４を収容する電源室５と、映写フィルム６を備えた映像カセット７を着脱可能とした開閉蓋８付きの映像投影室９と、映像投影室９に収容した映像カセット７の映写フィルム６を光源２によって内方から照明することでその映像を投影するための投光部１０と、映写フィルム６を伝達機構２２を介して順次循環する手回し式ハンドル２１と、レンズユニット３２を備えた焦点調整部３１とをケーシング１に備える。焦点調整部３１側には、所望の輪郭の投影を可能とするよう所要形状の複数の投光用開口４２ａ，４２ｂ，４２ｃを有するスライド切替可能なマスク体４１を配する。【選択図】図１
0003122895.tif 000002
【実用新案登録請求の範囲】
【請求項１】
光源を収容する光源室と、光源を点灯させる電源を収容する電源室と、絵柄を表示した投影用の複数のコマをループ状に連設して成るエンドレス状の映写フィルムを備えた映像カセットを収容した映像投影室と、この映像投影室の映像カセットの映写フィルムのコマを光源によって内方から照明することでその映像を投影させる投光部と、映写フィルムを伝達機構を介して順次循環させる手回し式ハンドルと、レンズユニットを備えた焦点調整部とをケーシングに備えたことを特徴とする映写型投影照明玩具。
【請求項２】
映像投影室は、映像カセットを映像投影室内に着脱自在に収容させる開閉蓋によって開閉される請求項１記載の映写型投影照明玩具。
【請求項３】
焦点調整部側には、投影させる投光形状を所望の輪郭で投影可能とするよう所要形状の複数の投光用開口を有するスライド切替可能なマスク体を備えた請求項１または２記載の映写型投影照明玩具。
【請求項４】
伝達機構は、ケーシング外側に配した手回し式ハンドルと一体となって回転するよう当該ケーシング内側に取り付けられた駆動歯車と、映像投影室に映像カセットが収容された状態で映写フィルム一側端に形成されているパーフォレーションに係合される係合突起を一側端の円板部周縁に備え、前記駆動歯車に噛合する歯部を他端の周面に有する小径筒状の送り出し歯車とによって形成されて成る請求項１乃至３のいずれか記載の映写型投影照明玩具。
【考案の詳細な説明】
【技術分野】
【０００１】
本考案は、携帯に適した覗き見投影玩具として童幼児等が簡単に楽しむことができ、また映像カセットの着脱によって覗き見具あるいは投影具として、更には懐中電灯ともなる映写型投影照明玩具に関する。
【背景技術】
【０００２】
従来から、この種の映写型投影照明玩具としては、例えば特許文献１に開示されているように、デイスク保持枠に回転自在に支持され絵柄等を表示した複数のコマが円周方向に沿って等間隔に配設されたデイスクをコマ送り手段によって順次回転させて当該コマの１つを選んでから、後方から照射する照明手段によってコマに表示されている絵柄等を投影する投影玩具があった。
【０００３】
また、特許文献２に開示されているように、回転駆動手段によって回転可能とした第１の絵柄表示体と、当該第１の絵柄表示体の少なくとも一部に沿って近接するように固定して設けられた第２の絵柄表示体と、両絵柄表示体を内方から照らして両者の重ね合わせ絵柄を投影とした光源とを備え、両絵柄表示体の重なり合いによってモアレを構成する絵柄部分がそれぞれ設けられた投影玩具が存在する。
【０００４】
さらに、特許文献３に開示されているように、小型のケース内に、光源と、押しボタンスイッチを介して光源に電源供給する小型電源手段と、光源からの照射光により投影される画像と、当該画像を拡大投影するための投影レンズとを備えた超小型画像投影具があった。
【０００５】
さらにまた、特許文献４に開示されているように、光源の手前において、遮光部と多数の微小な透光部とを有するフィルムをスライド移動可能とし、該フィルムと光源との間には、マイクロレンズを多数に配し且つ色分け模様が設けられて成るレンズ板を設置し、さらに音楽を奏でる発音手段を設けた光玩具があった。
【特許文献１】実用新案登録第３０２９９２７号公報
【特許文献２】実用新案登録第３０２６４５５号公報
【特許文献３】実用新案登録第３０７４６５３号公報
【特許文献４】実開平７−１２１９７号公報
【考案の開示】
【考案が解決しようとする課題】
【０００６】
しかしながら、上述した従来の映写型投影照明玩具においては、特許文献１におけるように絵柄等を表示した複数のコマが等間隔に配設されたデイスク、また特許文献２におけるように重なり合いによってモアレを構成する絵柄表示体、さらに特許文献３におけるように投影レンズによって拡大投影される画像、さらにまた特許文献４におけるように遮光部と多数の微小な透光部とを有するフィルムそれぞれは全てが本体装置と一体となって構成されており、本体装置から、それらの映像表現物をカセット式に取り出すことができない。したがって、従来ではさらに他の幾種類もの映像となる映像表現物に切り替えることができないため、投影される映像の種類が限られてしまい、覗き見具・投影玩具等としての面白味が半減するものとなる。しかも、従来では、映像フィルムをカセット式に取り外すことによって、投影機に替わって光源のみの懐中電灯として使用可能とした映写型投影照明玩具は存在しないのであった。
【０００７】
そこで、本考案は叙上のような従来存した諸事情に鑑み案出されたもので、映像フィルムをカセット式に他の内容の映像フィルムのものと交換できるようにして、主として童幼児等にとって覗き見具・投影玩具としての面白味を倍増でき、また着脱カセット式の映像フィルムを取り外すことで投影機に替わって光源のみの懐中電灯として使用可能とし、しかもその投光形状の輪郭を選択できるようにした携帯式の映写型投影照明玩具を提供することを目的とする。
【課題を解決するための手段】
【０００８】
上述した課題を解決するため、本考案にあっては、光源２を収容する光源室３と、光源２を点灯させる電源４を収容する電源室５と、絵柄を表示した投影用の複数のコマをループ状に連設して成るエンドレス状の映写フィルム６を備えた映像カセット７を収容した映像投影室９と、この映像投影室９の映像カセット７の映写フィルム６のコマを光源２によって内方から照明することでその映像を投影させる投光部１０と、映写フィルム６を伝達機構２２を介して順次循環させる手回し式ハンドル２１と、レンズユニット３２を備えた焦点調整部３１とをケーシング１に備える。
また、映像投影室９は、映像カセット７を映像投影室９内に着脱自在に収容させる開閉蓋８によって開閉される。
焦点調整部３１側には、投影させる投光形状を所望の輪郭で投影可能とするよう所要形状の複数の投光用開口４２ａ，４２ｂ，４２ｃを有するスライド切替可能なマスク体４１を備える。
さらに伝達機構２２は、ケーシング１外側に配した手回し式ハンドル２１と一体となって回転するよう当該ケーシング１内側に取り付けられた駆動歯車２３と、映像投影室９に映像カセット７が収容された状態で映写フィルム６一側端に形成されているパーフォレーション６ａに係合される係合突起２５を一側端の円板部周縁に備え、前記駆動歯車２３に噛合する歯部を他端の周面に有する小径筒状の送り出し歯車２４とによって形成されて成る。
【０００９】
以上のように構成された本考案に係る映写型投影照明玩具にあって、映像投影室９には各種の投影映像を表示してある映写フィルム６を備えて成る映像カセット７が収容されている。この映写フィルム６一側端に形成されているパーフォレーション６ａに、伝達機構２２の送り出し歯車２４の歯部が係合され、手回し式ハンドル２１の回転操作によって駆動歯車２３を介しての送り出し歯車２４の回転により、映写フィルム６の順次循環によるコマ送りを可能にさせる。
映像投影室９は、開閉蓋８の開閉で、開閉蓋８にセットされる映像カセット７を映像投影室９内に着脱させ、映写フィルム６を映像投影室９の所定位置に位置決めさせる。また映像投影室９からの映像カセット７の取り出しあるいは絵柄が表示されていない映写フィルム６部位では、投光部１０による照射を可能にし、例えば懐中電灯として周囲を照明する。
投光部１０は、映像投影室９に収容されている映像カセット７の映写フィルム６の任意のコマを光源２によって内方から照明することでその映像を投影させ、また焦点調整部３１から覗くことで映写フイルム６による映像を楽しませる。
マスク体４１は、スライド切替により選択された所要形状の投光用開口４２ａ，４２ｂ，４２ｃを、光源２によって後方照射された当該マスク体４１の投光用開口４２ａ，４２ｂ，４２ｃを通過した光により、投光形状の輪郭を所要形状のものとさせる。また、映像カセット７の映写フィルム６による映像を投影するときには、投影されるべき映像外形の周囲を所定の輪郭形状にして任意の投影位置で結像させる。
【考案の効果】
【００１０】
本考案によれば、映像カセット７における映写フイルム６の内容を覗いたり、投影したりすることで遊ぶことができ、主として童幼児にとって興味を持って取り扱うことができる。しかも映像カセット７を内容が異なる映写フィルム６のものと着脱自在に交換することで種々に面白味を倍増できる。また映像カセット７を取り外したり、映写フイルム６における表示がない部位によって投影したりすることで、投影機に替わって光源のみの懐中電灯としても使用可能である。このとき、マスク体４１のスライド位置調整による投光形状の輪郭を選択することで、種々な形状・輪郭の光の束としての投光を可能にする。
【００１１】
すなわちこれは本考案が、光源２を収容する光源室３と、光源２を点灯させる電源４を収容する電源室５と、絵柄を表示した投影用の複数のコマをループ状に連設して成るエンドレス状の映写フィルム６を備えた映像カセット７を収容した映像投影室９と、この映像投影室９の映像カセット７の映写フィルム６のコマを光源２によって内方から照明することでその映像を投影させる投光部１０と、映写フィルム６を伝達機構２２を介して順次循環させる手回し式ハンドル２１と、レンズユニット３２を備えた焦点調整部３１とをケーシング１に備えたからである。これにより、投光部１０を経て投影したり、投光部１０から覗いたりして映像カセット７内の映写フィルム６の内容を見ることができ、覗き見具、投影玩具としての面白味が倍増する。
【００１２】
また、映像投影室９は、映像カセット７を映像投影室９内に着脱自在に収容させる開閉蓋８によって開閉されるから、開閉蓋８の開閉による映像カセット７の映像投影室９における着脱で、異なる内容となる各種の映写フィルム６を備えた映像カセット７を交換することで他の映像を見ることができる。しかも開閉蓋８の内側面に一旦は映像カセット７をセットしてから、開閉蓋８の閉塞起立で映像カセット７を映像投影室９内に装填するから、映像投影室９内の所定位置に映像カセット７を確実に位置決めできる。エンドレス状の映写フィルム６のループ内に光源２を配置でき、映写フィルム６の映像を投影し、覗き見可能にできる。さらに映像カセット７を取り外したり、映写フィルム６における絵柄の非表示部位にて投影したりすることで、光源２による周囲への照射で通常の懐中電灯としても使用できる。
【００１３】
焦点調整部３１側には、投影させる投光形状を所望の輪郭で投影可能とするよう所要形状の複数の投光用開口４２ａ，４２ｂ，４２ｃを有するスライド切替可能なマスク体４１を備えたので、例えば投影された映像カセット７の映像に対し所要形状の輪郭を付与でき、投影玩具としての面白味をさらに倍増できる。しかも、映像カセット７を取り外してマスク体４１の投光用開口４２ａ，４２ｂ，４２ｃだけを任意の投影位置に結像させることで鮮明な輪郭を持った、いわば光の束状のシルエットを形成できる。
【００１４】
また、伝達機構２２は、ケーシング１外側に配した手回し式ハンドル２１と一体となって回転するよう当該ケーシング１内側に取り付けられた駆動歯車２３と、映像投影室９に映像カセット７が収容された状態で映写フィルム６一側端に形成されているパーフォレーション６ａに係合される係合突起２５を一側端の円板部周縁に備え、前記駆動歯車２３に噛合する歯部を他端の周面に有する小径筒状の送り出し歯車２４とによって形成されて成る。こうすることで、手回し式ハンドル２１の回転操作により映像カセット７内の映写フィルム６のコマ送り出しがスムーズに行え、所望とする映像を容易に切り替えできる。しかも、映写フィルム６に連続したフレーム画像を表示することで、コマの順次送り出しにより動画的な映像を楽しむことができる。
【００１５】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１６】
以下、図面を参照して本考案を実施するための最良の一形態を説明する。図において示される符号１は、本考案に係るカセット式の映写型投影照明玩具を構成する例えば矩形筐体状のケーシングである。該ケーシング１は図１に示すように、前側中央の筒部分を２分するように２つに半割形成された第１ケーシングパーツ１ａ、第２ケーシングパーツ１ｂそれぞれの分割開口部分を互いに合致させることで構成されている。前側中央の筒部分には、鏡筒内にレンズユニット３２を備えた焦点調整部３１が当該鏡筒の外周面に穿設した溝３３に筒部分内周の突起３４が嵌合した状態で装着されている。
【００１７】
図２、図３に示すように、第１ケーシングパーツ１ａには、この第１ケーシングパーツ１ａの側面から上面にかけて略Ｌ字状に凹ませ、奥側が仕切壁面部９ａによって塞がれた映像投影室９が形成され、後述する映像カセット７を収容してある。この映像カセット７自体は映像投影室９内に固定式に収容しておいてもよい。また映像投影室９内に着脱自在に収容することで、例えば異なる絵柄の表示である複数の映写フィルム６それぞれを備えた複数の映像カセット７を予め用意して相互に交換することで、それらを楽しめるようにできる。
【００１８】
映像投影室９は、この映像投影室９の側面下縁部に形成した凹所の左右対向する内壁にある軸孔１１に、略Ｌ字状の開閉蓋８の一端縁に突設された突起の左右両端にある支持軸１２を揺動自在となるように枢着させ、且つ開閉蓋８の他端縁に形成された係止突部１３を、映像投影室９の仕切壁面部９ａ上端に形成された係止孔部１４に係合可能にしてあり、これによって映像投影室９自体が開閉蓋８で閉塞ないしは開放される。
【００１９】
そして、開閉蓋８の側壁内面上に映像カセット７を載せた状態のままで当該開閉蓋８を閉塞起立させることで、映像投影室９に当該映像カセット７を収容するものとしてある。このとき映像カセット７の一側面には、一対の支持孔１５が穿設され、これら両支持孔１５に対応すべく開閉蓋８内側には一対の突起１６が突設されていて、後述する光源室３がこの映像カセット７の内部の一定箇所に位置決めされるように配慮してある。
【００２０】
これにより映像カセット７を側方からケーシング１内に入れるときは、図２に示すように、先ず、突起１６を支持孔１５に嵌め込むことで映像カセット７を開閉蓋８内側に位置決め固定させておく。次いで開閉蓋８を閉塞起立して他端縁の係止突部１３を映像投影室９の仕切壁面部９ａ上端の係止孔部１４に係合することで、映像投影室９内に映像カセット７を所定位置に固定した状態にし、映像投影室９開口を閉塞する。尚、図３に示すように、映像投影室９に映像カセット７を縦向にして収容し開閉蓋８を閉じるようにしても良いが、この場合には、係止突部１３を若干長めにしてある。
【００２１】
また、図６、図７、図８に示すように、映像投影室９内に収容される映像カセット７は、中央部分を２分するように２つに半割形成された第１カセットパーツ７ａ、第２カセットパーツ７ｂそれぞれの分割開口部分を互いに合致させることで構成されている。
【００２２】
そして、映像投影室９の前側および映像カセット７の前面側には、前記の筒部分に対応して、略矩形開口状の投光部１０が形成され、映像カセット７内で順次循環されるエンドレス状の映写フィルム６が１コマ毎に投光部１０から露出配置されるようにしてある。
【００２３】
このとき、投光部１０を介しての第１カセットパーツ７ａ底部の上下位置には、スライドする映写フィルム６のガイドとなって上下２点で支持するためのガイド軸１７が突設されている。
【００２４】
さらに仕切壁面部９ａの略中央には、略矩形開口状の取付孔１８が形成され、例えば発光ダイオード（ＬＥＤ）等の光源２を収容するための光源室３を内部に備え且つ上下両端に係止用フランジ１９ａを形成してある。そして筐体１９が仕切壁面部９ａの外側から当該取付孔１８に挿入され、係止用フランジ１９ａを取付孔１８外縁側に係止させた状態で、ケーシング１内に固定される。尚、光源２自体の光量は、投光部１０の前端から内部を覗いたときに、覗いた者の目を痛めない程度のものとされ、また所定の間隔例えば１ｍ乃至３ｍ程度で離間された投影面に映写フィルム６の絵柄が充分に投影できる程度のものとされる。
【００２５】
光源室３を備えた筐体１９は、係止用フランジ１９ａ位置とは反対側にある側面が開口され、ここから基板２ａ、ＬＥＤ等の光源２、レンズ２ｂそれぞれを装着してから、略半円筒状の蓋１９ｂによって閉塞固定される。
【００２６】
そして、この筐体１９自体は、図４、図５に示すように、取付孔１８に対応して映像カセット７側面に開口形成された光源配置口２０に対応しており、開閉蓋８にセットした映像カセット７が映像投影室９内に装填されるとき、光源配置口２０が筐体１９に嵌り込み、映像カセット７内に光源室３が位置される。すなわち、この光源室３が映像カセット７の内部に配置されることで、当該筐体１９内の光源２からの光が照射されるよう内側にレンズ２ｂを配した円形窓部１９ｃが、焦点調整部３１、投光部１０それぞれの後方側に配置される。
【００２７】
こうすることで、映像カセット７内の映写フィルム６を光源２によって照射することができ、映写フィルム６上の映像を投光部１０、焦点調整部３１を通じて外方所定位置に投影でき、投光部１０前端から覗いたときにその映像を見ることができる。尚、ケーシング１の前面下側には、電源４によって光源２を点灯させたり消灯させたりするためのスイッチボタンＳが設けられている。
【００２８】
焦点調整部３１と投光部１０との間には、例えば中央位置に矩形開口を、また上下に例えばハート型開口、円形開口それぞれを形成して成る３つの投光用開口４２ａ，４２ｂ，４２ｃを有する上下にスライド可能なマスク体４１がケーシング１の左右側壁間で横架されるように配されている。例えば映像カセット７を取り外して光源２をそのまま投光するときに、投影する投影形状をいずれかの投光用開口４２ａ，４２ｂ，４２ｃの選択で行えるようにしてある。これらの投光用開口４２ａ，４２ｂ，４２ｃは、矩形開口、ハート型開口、円形開口に限らず、他の形状とすることも、開口数を増加させることも可能である。場合によっては映像投影用ではない開口には、開口形状の輪郭による投影のみでなく、絵柄、模様、図形、文字等の適当な図柄を表示した透視可能なマスク版を配することもできる。
【００２９】
マスク体４１自体は、このマスク体４１の両端に延設した突片状の操作部４３を、第１ケーシングパーツ１ａおよび第２ケーシングパーツ１ｂそれぞれに穿設した縦長のスリット４４にスライド自在に装着させてある。操作部４３を上下位置または中央位置にスライドさせることで所要形状の投光用開口４２ａ，４２ｂ，４２ｃが選択でき、所定輪郭の光の束状の投光を可能にする。また、このいずれかを選択することで映写フィルム６に対し所望の輪郭の映像投影も可能である。
【００３０】
一方、第２ケーシングパーツ１ｂの側面後部側には、光源２を点灯させるための電源４として例えばボタン型電池等を収容する凹筒状に窪んだ蓋５ａ付きの電源室５が形成されている。
【００３１】
また、第２ケーシングパーツ１ｂの側面中央側には、映像投影室９に収容されている映像カセット７内の映写フィルム６を順次循環させるための円板周辺に取っ手２１ａを備えた手回し式ハンドル２１が取り付けられている。そして、この手回し式ハンドル２１の回転中心部に連繋し、第２ケーシングパーツ１ｂ内側に配されている伝達機構２２を介して映写フィルム６を順次循環させる。
【００３２】
すなわち、この伝達機構２２は、図４、図５に示すように、第２ケーシングパーツ１ｂ内側に穿った軸孔２７に大径の駆動歯車２３の円形突起状の中心軸部２６が枢着され、この中心軸部２６と手回し式ハンドル２１の回転中心部とが一体となって連結されている。  
【００３３】
そして、図９、図１０に示すように、係合突起２５を一側端の円板部周縁に備え、前記駆動歯車２３に噛合する歯部を他端の周面に有する小径筒状の送り出し歯車２４が、映像投影室９下側に穿った半円開口部２８ａの下側凹部中央に突設した支持軸２８に回転可能に枢着されている。これにより送り出し歯車２４の係合突起２５は、映像投影室９に収容さる映像カセット７内の映写フィルム６一側端に沿って一列状に形成されたパーフォレーション６ａに係合可能となるように配置される。尚、パーフォーレーション６ａに対する係合によって映写フィルム６が循環するとき、位置ずれが生じたときには前記マスク体４１を上下方向で若干でもスライドすることで調整可能にしてある。
【００３４】
次に、以上のように構成された最良の形態についての組立、使用、動作の一例について説明する。図１に示すように、第１ケーシングパーツ１ａの筒部分に焦点調整部３１を装着し、第２ケーシングパーツ１ｂの映像投影室９における仕切壁面部９ａの取付孔１８に、光源２を内部に配した光源室３用の筐体１９が外側から挿入され、当該筐体１９の係止用フランジ１９ａで取付孔１８外縁側に係止固定する。
【００３５】
また、第２ケーシングパーツ１ｂ内側の軸孔２７に駆動歯車２３の円形突起状の中心軸部２６を枢着し、この中心軸部２６と手回し式ハンドル２１の回転中心部とが一体となるように連結する。
【００３６】
そして、図９、図１０に示すように、送り出し歯車２４を、映像投影室９下側に穿った半円開口部の下側凹部中央に突設した支持軸２８に枢着し、且つ送り出し歯車２４の係合突起２５を、映像投影室９に収容される映像カセット７内の映写フィルム６一側端に沿って１列状に形成されたパーフォレーション６ａに係合できるように配置させる。
【００３７】
第１ケーシングパーツ１ａ、第２ケーシングパーツ１ｂそれぞれの分割開口部分を互いに合致させる。このとき、マスク体４１の両端に延びている突片状の操作部４３を、第１ケーシングパーツ１ａ、第２ケーシングパーツ２ａそれぞれに穿設した縦長のスリット４４に装着させる。また、映像投影室９の側面下縁部にある凹所にある軸孔１１には、開閉蓋８の一端縁における突起の左右両端にある支持軸１２を回動自在となるように枢着することで組み立てられる。
【００３８】
使用時には図２に示すように、電源室５に電源４を収容し、また開放倒伏させた開閉蓋８上に映像カセット７を載せる。このとき、映像カセット７の一側面に穿設した一対の支持孔１５に、開閉蓋８内側の一対の突起１６を係合して固定しておく。そして、開閉蓋８を閉塞起立させ、他端縁の係止突部１３を、映像投影室９の仕切壁面部９ａ上端の係止孔部１４に係合させることにより、映像投影室９に当該映像カセット７を収容する。
【００３９】
このとき仕切壁面部９ａの取付孔１８に固定されている筐体１９に、映像カセット７側面に開口形成された光源配置口２０が嵌め合わせられる。こうして当該映像カセット７の内部に筐体１９の光源室３が配置され、当該筐体１９の円形窓部１９ｃが、焦点調整部３１、投光部１０それぞれの後方側に配置される。
【００４０】
映像を見るには、スイッチボタンＳを押して光源２を点灯し、手回し式ハンドル２１の取っ手２１ａを廻して映写フィルム６のコマを順次循環させる。こうすることで、映像を例えば壁面その他に投影しても、また光源２による光照射量が大きくなければ、焦点調整部３１前端から覗き見るようにしても良い。
【００４１】
さらに、映像カセット７を交換する時には、開閉蓋８を開放倒伏して映像投影室９を開放させ、他の映像カセット７を開閉蓋８の内側面に再セットして交換すれば良い。また、通常の懐中電灯として使用する場合には、映像投影室９から映像カセット７を取り外しておいたり、映写フィルム６における絵柄が表示されていない単なる透視部位を投光部１０に位置させておけば良い。すなわち、投光器として使用する場合には、映像カセット７をケーシング１から取り外し、スイッチボタンＳの押圧で光源２による投光を可能にする。このとき、マスク体４１の投光用開口４２ａ，４２ｂ，４２ｃのいずれかを選択するように上下にスライド位置決めし、任意の投影位置に結像させることで開口形状に対応した光の束状の鮮明なシルエットを形成できる。
【００４２】
尚、映像カセット７による投影時でもマスク体４１を上下いずれかにスライドさせることで、投影された映像カセット７の映像に対し所要形状の輪郭を付与できる。
【図面の簡単な説明】
【００４３】
【図１】本考案を実施するための最良の形態における映写型投影照明玩具の分解斜視図である。
【図２】同じく映写型投影照明玩具の映像投影室に映像カセットを装着する状態を示す斜視図である。
【図３】同じく映写型投影照明玩具の映像投影室にける開閉蓋の他の係止構造を示す斜視図である。
【図４】同じく映写型投影照明玩具の横断面図である。
【図５】同じく映写型投影照明玩具の縦断面図である。
【図６】同じく映写フィルムを装着した映像カセットの内部構造を示すカセット蓋の開放状態における一部切欠断面図である。
【図７】同じく映写フィルムを外した映像カセットの内部構造を示すカセット蓋の開放状態における一部切欠断面図である。
【図８】同じく映写フィルムを装着した映像カセットの内部構造を示す断面図である。
【図９】同じく映像カセット、伝達機構、手回し式ハンドルそれぞれの連結構造を示す斜視図である。
【図１０】同じく映像カセット、伝達機構、手回し式ハンドルそれぞれの連結構造において、映写フィルムを備えた映像カセットのカセット蓋の開放状態を示す斜視図である。
【符号の説明】
【００４４】
Ｓ…スイッチボタン
１…ケーシング                          １ａ…第１ケーシングパーツ
１ｂ…第２ケーシングパーツ              ２…光源
２ａ…基板                              ２ｂ…レンズ
３…光源室                              ４…電源
５…電源室                              ５ａ…蓋
６…映写フィルム                        ６ａ…パーフォレーション
７…映像カセット                        ７ａ…第１カセットパーツ
７ｂ…第２カセットパーツ                ８…開閉蓋
９…映像投影室                          ９ａ…仕切壁面部
１０…投光部                            １１…軸孔
１２…支持軸                            １３…係止突部
１４…係止孔部                          １５…支持孔
１６…突起                              １７…ガイド軸
１８…取付孔                            １９…筐体
１９ａ…係止用フランジ                  １９ｂ…蓋
１９ｃ…円形窓部                        ２０…光源配置口
２１…手回し式ハンドル                  ２１ａ…取っ手
２２…伝達機構                          ２３…駆動歯車
２４…送り出し歯車                      ２５…係合突起
２６…中心軸部                          ２７…軸孔
２８…支持軸                            ２８ａ…半円開口部
３１…焦点調整部                        ３２…レンズユニット
３３…溝                                ３４…突起
４１…マスク体                          ４２ａ，４２ｂ，４２ｃ…投光用開口
４３…操作部                            ４４…スリット
【図１】
0003122895.tif 000003
【図２】
0003122895.tif 000004
【図３】
0003122895.tif 000005
【図４】
0003122895.tif 000006
【図５】
0003122895.tif 000007
【図６】
0003122895.tif 000008
【図７】
0003122895.tif 000009
【図８】
0003122895.tif 000010
【図９】
0003122895.tif 000011
【図１０】
0003122895.tif 000012